(57)【特許請求の範囲】
【請求項１】
軒樋の排水口に取り付ける軒樋用ドレンであって、
前記排水口の下方に連結されるドレン受部と、該ドレン受部の上方に嵌合される背高ゴミ除け体とよりなり、
前記背高ゴミ除け体は、複数の排水窓が開設された逆籠状の上籠部を、筒状の下籠部に外装して全体を逆籠状に形成してなり、且つ、軒樋の深さと略同程度の高さを有しており、更に、前記背高ゴミ除け体の上籠部が、高さ方向に昇降自在に構成されたことを特徴とする軒樋用ドレン。
【請求項２】
軒樋の排水口の下方に連結されるドレン受部と、該ドレン受部の上方に嵌合されるゴミ除け体を備えてなる軒樋用ドレンにおいて、
複数の排水窓が開設された逆籠状の上籠部を、筒状の下籠部に外装して全体を逆籠状に形成してなり、且つ、軒樋の深さと略同程度の高さを有した背高ゴミ除け体を、前記ゴミ除け体の上方から被着すると共に、前記背高ゴミ除け体の上籠部が、高さ方向に昇降自在に構成されたことを特徴とする軒樋用ドレン。
【請求項３】
軒樋の排水口に取り付ける軒樋用ドレンであって、
前記排水口の下方に連結されるドレン受部と、該ドレン受部の上方に嵌合される背高ゴミ除け体とよりなり、
前記背高ゴミ除け体は、周方向に配置された複数本の支柱に、複数のリング体を内接、係止して複数の排水窓を形成した筒籠構造とされ、
前記支柱を切断して、前記背高ゴミ除け体を軒樋の深さと略同程度の高さに調節できるようにしたことを特徴とする軒樋用ドレン。
【請求項４】
軒樋の排水口の下方に連結されるドレン受部と、該ドレン受部の上方に嵌合されるゴミ除け体を備えてなる軒樋用ドレンにおいて、
前記ゴミ除け体には、上方から背高ゴミ除け体を被着した構成とされ、
前記背高ゴミ除け体は、周方向に配置された複数本の支柱に、複数のリング体を内接、係止して複数の排水窓を形成した筒籠構造とされ、
前記支柱を切断して、前記背高ゴミ除け体を軒樋の深さと略同程度の高さに調節できるようにしたことを特徴とする軒樋用ドレン。
【発明の詳細な説明】
【技術分野】
【０００１】
本発明は、軒樋の排水口に取り付ける軒樋用ドレンに関する。
【背景技術】
【０００２】
一般に、軒樋の下流端側には、前記軒樋内の雨水を竪樋等に排水するための排水口が開設されており、この排水口には、前記軒樋内に溜まった落葉やビニール袋等の障害物が、前記雨水と一緒に竪樋に流れ込むことを防止するため、前記排水口の上方に排水窓を備えたゴミ除け体を設けた軒樋用ドレンが知られている（例えば、特許文献１参照。）。
【０００３】
具体的には、前記排水口の下方に、前記排水口と竪樋等を連結するためのドレン受部を設け、前記排水口を介して前記ドレン受部とゴミ除け体を嵌合し、前記排水口の上方に複数の排水窓が開設された逆椀状のゴミ除け体を設けてなる。
【０００４】
そのため、この軒樋用ドレンによれば、軒樋内に溜まった落葉やビニール袋等の障害物は、前記ゴミ除け体に堰き止められると共に、雨水だけが前記排水窓から排水口を通じて竪樋等に流れるため、前記障害物が雨水と一緒に竪樋等に流れ込むことを防止し、その結果、前記障害物が竪樋等に詰まることを防止できる。
【特許文献１】特開２００２−２７６１００号
【発明の開示】
【発明が解決しようとする課題】
【０００５】
しかし、従来の軒樋用ドレンには、以下の問題があった。
【０００６】
すなわち、前記ゴミ除け体に、例えば、落葉やビニル袋等のシート状の障害物が付着すると、前記ゴミ除け体の排水窓の一部が閉止されて排水効率が減少し、更に、これら障害物の付着が増加して滞積されると、前記排水窓の殆どが閉止されてしまい、排水効率が激減してしまう。
【０００７】
そのため、前記障害物を一々除去しなければ、排水窓を通じて排水される雨水量よりも、軒樋に貯留される雨水量の方が増して前記軒樋内に雨水が溜まり、やがて軒樋の上方から雨水が溢れ出すという問題があった。
【０００８】
また、前記ゴミ除け体の排水効率を高めるために、既設のゴミ除け体を大型のものに取り替えるには、対応するドレン受部や排水口の加工など、既設の軒樋用ドレン全てを取り替える必要があり、取替え作業が困難であった。
【０００９】
本発明は、かかる課題を解決することを目的とするもので、落葉やビニール袋等の障害物が滞積しても長期間にわたって軒樋内の雨水を簡単且つ確実に排水可能な軒樋用ドレンを提供する。
【課題を解決するための手段】
【００１０】
上記目的を達成するため、
請求項１に係る軒樋用ドレンは、軒樋の排水口に取り付ける軒樋用ドレンであって、前記排水口の下方に連結されるドレン受部と、該ドレン受部の上方に嵌合される背高ゴミ除け体とよりなり、前記背高ゴミ除け体は、複数の排水窓が開設された逆籠状の上籠部を、筒状の下籠部に外装して全体を逆籠状に形成してなり、且つ、軒樋の深さと略同程度の高さを有しており、更に、前記背高ゴミ除け体の上籠部が、高さ方向に昇降自在に構成されたことを特徴とする。
【００１１】
請求項２に係る軒樋用ドレンは、軒樋の排水口の下方に連結されるドレン受部と、該ドレン受部の上方に嵌合されるゴミ除け体を備えてなる軒樋用ドレンにおいて、複数の排水窓が開設された逆籠状の上籠部を、筒状の下籠部に外装して全体を逆籠状に形成してなり、且つ、軒樋の深さと略同程度の高さを有した背高ゴミ除け体を、前記ゴミ除け体の上方から被着すると共に、前記背高ゴミ除け体の上籠部が、高さ方向に昇降自在に構成されたことを特徴とする。
【００１２】
請求項３に係る軒樋用ドレンは、軒樋の排水口に取り付ける軒樋用ドレンであって、前記排水口の下方に連結されるドレン受部と、該ドレン受部の上方に嵌合される背高ゴミ除け体とよりなり、前記背高ゴミ除け体は、周方向に配置された複数本の支柱に、複数のリング体を内接、係止して複数の排水窓を形成した筒籠構造とされ、前記支柱を切断して、前記背高ゴミ除け体を軒樋の深さと略同程度の高さに調節できるようにしたことを特徴とする。
請求項４に係る軒樋用ドレンは、軒樋の排水口の下方に連結されるドレン受部と、該ドレン受部の上方に嵌合されるゴミ除け体を備えてなる軒樋用ドレンにおいて、前記ゴミ除け体には、上方から背高ゴミ除け体を被着した構成とされ、前記背高ゴミ除け体は、周方向に配置された複数本の支柱に、複数のリング体を内接、係止して複数の排水窓を形成した筒籠構造とされ、前記支柱を切断して、前記背高ゴミ除け体を軒樋の深さと略同程度の高さに調節できるようにしたことを特徴とする。
【発明の効果】
【００１３】
本発明によれば、次のような効果がある。
請求項１に係る軒樋用ドレンによれば、背高ゴミ除け体は、軒樋の深さと略同程度の高さを有するので、前記背高ゴミ除け体の下端側に落葉やビニール袋等の障害物が多少滞積されても、前記排水窓の殆どが開放された状態を維持できるため、軒樋に貯留される雨水量よりも多くの雨水を排水することができ、前記軒樋内に雨水が溜まって該雨水が軒樋の上方から溢れ出すことを防止できる。
【００１４】
そのため、前記障害物を一々除去する手間がなく、長期間にわたって軒樋内の雨水を確実に排水できる。
【００１５】
また、背高ゴミ除け体は、高さ方向に昇降自在に構成しているので、前記背高ゴミ除け体の上籠部を昇降するだけで、前記軒樋の深さと同程度の高さに合わせることができ、例えば、作業現場でも簡単に調節することができる。
【００１６】
請求項２に係る軒樋用ドレンによれば、既設のゴミ除け体に上方から背高ゴミ除け体を装着（被着）するだけで、軒樋の深さと略同程度の高さを有する背高ゴミ除け体を容易に構成することができる。
【００１７】
そのため、前記背高ゴミ除け体の下端側に落葉やビニール袋等の障害物が多少滞積されても、前記排水窓の殆どが開放された状態を維持できるため、軒樋に貯留される雨水量よりも多くの雨水を排水することができ、前記軒樋内に雨水が溜まって該雨水が軒樋の上方から溢れ出すことを防止できる。
【００１８】
また、前記障害物を一々除去する手間がなく、長期間にわたって軒樋内の雨水を確実に排水できる。
【００１９】
更に、背高ゴミ除け体は、上籠部を高さ方向に昇降自在に構成しているので、前記背高ゴミ除け体の上籠部を昇降するだけで、前記軒樋の深さと同程度の高さに合わせることができ、例えば、作業現場でも簡単に調節することができる。
【００２０】
請求項３、４に係る軒樋用ドレンによれば、支柱の切断により背高ゴミ除け体を所望の高さに調節できる構成であるため、請求項１、２に係る発明と同様の効果を得ることができる。
【発明を実施するための最良の形態】
【００２１】
以下、本発明に係る軒樋用ドレンを図面とともに説明する。
【実施例１】
【００２２】
図１は、本発明に係る軒樋用ドレンＡの参考例を示す分解斜視図であり、図２は、図１の軒樋用ドレンＡを軒樋Ｔに装着した状態を示す縦断面図である。
【００２３】
本参考例の軒樋用ドレンＡは、軒樋Ｔの下流端側に開設された円形の排水口Ｔ１に取り付けられるもので、排水口Ｔ１の下方に連結されるドレン受部１と、該ドレン受部１の上方に嵌合される背高ゴミ除け体２とより構成してなる。
【００２４】
ドレン受部１は、排水口Ｔ１と略同口径の内径を有する筒状体であって、該筒状体の上端には外方に張り出した鍔片１１を形成すると共に、下端側の外壁には、竪樋等（不図示）の上端に内嵌される嵌合段部１２を形成し、前記竪樋等（不図示）を連結可能にている。
【００２５】
また、ドレン受部１の内壁の一部又は全部には、周方向に向けてネジ溝等の螺合受部１３を形成している。
【００２６】
背高ゴミ除け体２は、軒樋Ｔの深さと略同程度の高さを有し、且つ、複数の排水窓２１が開設された逆籠状に形成してなり、更に、背高ゴミ除け体２を、高さ方向に昇降自在に構成してなる。
【００２７】
具体的には、本参考例の背高ゴミ除け体２は、伸縮可能なジャバラ状に形成すると共に、側壁及び上面の適所に複数の排水窓２１を開設している。
【００２８】
また、背高ゴミ除け体２の下端には、軒樋Ｔの排水口Ｔ１に係止可能な鍔部２２が突設されると共に、この鍔部２２の下方には、排水口Ｔ１を貫通可能な筒状の貫通管２３を突設している。
【００２９】
また、貫通管２３の周方向にはネジ山等の螺合部２４を形成し、この螺合部２４とドレン受部１の螺合受部１３とを螺合可能にして、背高ゴミ除け体２とドレン受部１を着脱可能にしている。
【００３０】
このように構成した本参考例の軒樋用ドレンＡは、排水口Ｔ１の下方にドレン受部１を配設すると共に、排水口Ｔ１の上方から背高ゴミ除け体２の貫通管２３を貫通し、この貫通管２３の周方向に形成した螺合部２４を、ドレン受部１の螺合受部１３に螺合するだけで、ドレン受部１の鍔片１１と背高ゴミ除け体２の鍔部２２が、排水口Ｔ１の口縁を挟持して、ドレン受部１及び背高ゴミ除け体２を簡単且つ確実に装着できる。
【００３１】
而して、このように装着された背高ゴミ除け体２を、図中矢印で示すように、上下方向に伸縮するだけで、軒樋Ｔの深さと略同程度の高さに容易に設定できる。
【００３２】
そのため、背高ゴミ除け体２の下端側に落葉やビニール袋等の障害物（不図示）が多少滞積されても、排水窓２１の殆どが開放された状態を維持できるので、軒樋Ｔに貯留される雨水量よりも多くの雨水を排水窓２１から排水することができ、軒樋Ｔ内に雨水が溜まって該雨水が軒樋Ｔの上方から溢れ出すことを防止できる。
【００３３】
しかも、前記障害物（不図示）を一々除去する手間がなく、長期間にわたって軒樋Ｔ内の雨水を確実に排水できる。
【実施例２】
【００３４】
図３は、本発明に係る軒樋用ドレンＡの他の参考例を示す分解斜視図であり、図４は、図３の軒樋用ドレンＡを軒樋Ｔに装着した状態を示す縦断面図である。
【００３５】
すなわち、本参考例の軒樋用ドレンＡは、既設の軒樋用ドレンを利用できるものであり、軒樋Ｔの排水口Ｔ１の下方に設けたドレン受部１と、該ドレン受部１の上方に嵌合されるゴミ除け体３を備えてなる軒樋用ドレンにおいて、軒樋Ｔの深さと略同程度の高さを有し、且つ、複数の排水窓２１が開設された逆籠状に形成してなる背高ゴミ除け体２を、ゴミ除け体３の上方から被着すると共に、背高ゴミ除け体２が、高さ方向に昇降自在に構成されたことを特徴とするものである。
【００３６】
ドレン受部１は、排水口Ｔ１と略同口径の内径を有する筒状体であって、該筒状体の上端には外方に張り出した鍔片１１を形成すると共に、下端側の外壁には、竪樋等（不図示）の上端に内嵌される嵌合段部１２を形成し、前記竪樋等（不図示）を連結可能にしている。
【００３７】
また、ドレン受部１の内壁の一部又は全部には、周方向に向けてネジ溝等の螺合受部１３を形成している。
【００３８】
ゴミ除け体３は、排水口Ｔ１を貫通可能な筒状の貫通管３１の外壁に、周方向に向けてネジ山等の螺合部３２を形成すると共に、貫通管３１の上端には、軒樋Ｔの排水口Ｔ１に係止可能な鍔部３３を外方に突設している。
【００３９】
また、貫通管３１の上端（鍔部３３の基端）には、上方に向けて複数の湾曲された板片３４を立設すると共に、これら板片３４の上端を環状のリング部３５で結合して、複数の排水窓３６が開設された逆椀状のゴミ除け体３を構成している。
【００４０】
そして、排水口Ｔ１の上方からゴミ除け体３の貫通管３１を貫通し、該貫通管３１の螺合部３２を、ドレン受部１の螺合受部１３に螺合すれば、ドレン受部１の鍔片１１とゴミ除け体３の鍔部３３が、排水口Ｔ１の口縁を挟持して、ドレン受部１及びゴミ除け体３が取付けられている。
【００４１】
背高ゴミ除け体２は、軒樋Ｔの深さと略同程度の高さを有し、且つ、複数の排水窓２１が開設された逆籠状に形成してなり、更に、背高ゴミ除け体２を、高さ方向に昇降自在に構成してなる。
【００４２】
具体的には、背高ゴミ除け体２は、伸縮可能なジャバラ状に形成すると共に、側壁及び上面の適所に複数の排水窓２１を開設している。
【００４３】
また、背高ゴミ除け体２の下端には、外方に向けて弾性付勢される係止脚部２５を突設している。
【００４４】
このように構成した本参考例の軒樋用ドレンＡは、背高ゴミ除け体２の係止脚部２５を、ゴミ除け体３の上方から被着すると共に、ゴミ除け体３の排水窓３６又はドレン受部１の内壁に差し込むだけで、係止脚部２５が内方に縮径されると共に、その弾性力によって、ゴミ除け体３又はドレン受部１に係止して、背高ゴミ除け体２を、既設のゴミ除け体３又はドレン受部１に簡単に取付けできる。
【００４５】
なお、背高ゴミ除け体２を取り外すには、係止脚部２５を指等で内側に付勢しながら背高ゴミ除け体２を上方に引き抜けば、該背高ゴミ除け体２を、ゴミ除け体３又はドレン受部１から簡単に取り外すことができる。
【００４６】
そして、このように取付けた背高ゴミ除け体２を、図中矢印で示すように、上下方向に伸縮するだけで、軒樋Ｔの深さと略同程度の高さに容易に設定できる。
【００４７】
而して、背高ゴミ除け体２は、既設のゴミ除け体３に被着すると共に、図中矢印で示すように、上下方向に伸縮するだけで、軒樋Ｔの深さと略同程度の高さに容易に設定できる。
【００４８】
そのため、背高ゴミ除け体２の下端側に落葉やビニール袋等の障害物（不図示）が多少滞積されても、排水窓２１の殆どが開放された状態を維持できるため、軒樋Ｔに貯留される雨水量よりも多くの雨水を排水することができ、軒樋Ｔ内に雨水が溜まって該雨水が軒樋Ｔの上方から溢れ出すことを防止できる。
【００４９】
そのため、前記障害物（不図示）を一々除去する手間がなく、長期間にわたって軒樋Ｔ内の雨水を確実に排水できる。
【００５０】
なお、本参考例で示した係止脚部２５は、一例に過ぎず、背高ゴミ除け体２をゴミ除け体３又はドレン受部１に着脱可能な構造であれば採用できることは勿論である。
【実施例３】
【００５１】
図５は、本発明に係る軒樋用ドレンＡの更に他の参考例を示す分解斜視図である。
【００５２】
ここで、図１〜図４と共通する部位には、同一の符号を付して、重複する説明は省略し、以下では、本参考例の特徴についてのみ説明する。
【００５３】
すなわち、本参考例の背高ゴミ除け体２は、高さ方向に複数に分割及び結合可能な構造にしている。
【００５４】
具体的には、背高ゴミ除け体２を複数の部材に分割し、各部材の下端に係止爪２６を形成し、この係止爪２６に係止可能な係止受部２７を、各部材の上端に形成することで、複数の部材を分割及び結合可能な構造にしている。
【００５５】
なお、これら係止爪２６及び係止受部２７は、一例に過ぎず、複数の部材を簡易に分割及び結合可能な連結構造であれば構わない。
【００５６】
このような本発明の軒樋用ドレンＡによれば、背高ゴミ除け体２が、高さ方向に複数に分割及び結合可能にしているので、軒樋Ｔの深さに応じて背高ゴミ除け体２の高さを容易に調節でき、例えば、作業現場でも更に簡単に調節することができる。
【実施例４】
【００５７】
図６〜図８は、背高ゴミ除け体２の一実施例を示す概略図である。図９、図１０は参考例を示す概略図である。
【００５８】
ここで、図１〜図５と共通する部位には、同一の符号を付して、重複する説明は省略し、以下では、本実施例の特徴についてのみ説明する。
【００５９】
すなわち、これら図６〜図１０で示した背高ゴミ除け体２は、何れも高さ方向に昇降自在にしている点で図１〜図５のものと共通するが、具体的な構造が相違するものである。
【００６０】
以下、図６〜図９の各図について説明する。
【００６１】
図６で示す背高ゴミ除け体２は、複数の排水窓２１が開設された逆籠状の上籠部５を、筒状の下籠部６に外装すると共に両者を螺合させて全体を逆籠状に形成したものであり、具体的には、上籠部５の内周適所に螺合部５１を形成し、この螺合部５１に螺合される被螺合部６１を下籠部６の外周適所に形成してなる。
【００６２】
そして、上籠部５を下籠部６に外装すると共に両者の螺合部５１及び被螺合部６１を螺合した状態で、上籠部５及び／又は下籠部６を周方向に回転すれば、背高ゴミ除け体２を高さ方向に昇降自在にできる。
【００６３】
図７で示す背高ゴミ除け体２は、複数の排水窓２１が開設された逆籠状の上籠部７を、筒状の下籠部８に装着すると共に両者をスライド自在にして全体を逆籠状に形成したものであり、具体的には、上籠部７の周方向に設けた支柱７１を、下籠部８の中空状の支柱８１に内挿してなる。
【００６４】
そして、上籠部７の支柱７１を下籠部８の中空状の支柱８１に内挿した状態で、上籠部７及び／又は下籠部８を高さ方向に移動すれば、背高ゴミ除け体２を高さ方向に昇降自在にできる。
【００６５】
但し、このままでは、背高ゴミ除け体２を所望の高さに維持できないため、本実施例では、背高ゴミ除け体２の外周全体に針金等の線材９を周方向に巻き付けることで、背高ゴミ除け体２を所望の高さに維持できるようにしている。
【００６６】
なお、背高ゴミ除け体２を所望の高さに維持する手段としては、線材９を巻き付ける以外の手段でも良く、例えば、両者の支柱７１、支柱８１を跨ぐようにして弾性を有するクリップ（不図示）で係止することも可能である。
【００６７】
図８で示す背高ゴミ除け体２は、複数の排水窓２１が開設された筒籠状に形成したものであり、具体的には、周方向に配置された複数本の支柱５０に、リング体６０を内接すると共に、このリング体６０を支柱５０に係止してなる。
【００６８】
そして、支柱５０の適所を鋏等の切断具５１’で切断すれば、背高ゴミ除け体２を所望の高さに設定することができ、背高ゴミ除け体２を昇降したものと同様の効果を得ることができる。
【００６９】
図９で示す背高ゴミ除け体２は、上方に向けて細く形成されたスプリング体７０の上端に、水平方向に回動可能な複数の板片８０を固定したものである。
【００７０】
そして、ゴミ除け体３の上方から被着するだけで、背高ゴミ除け体２を、既設のゴミ除け体３に簡単に取付けできる。
【００７１】
図１０で示す背高ゴミ除け体２は、複数の排水窓２１が開設された筒籠状に形成したものであり、具体的には、上下方向に間隔をあけて複数本のリング環９０を配置すると共に、上下に隣設するリング環９０同士を、ヒンジ機構を備えたヒンジ体１００で互いに連結してジャバラ状に形成してなる。
【００７２】
そして、このように構成した背高ゴミ除け体２を、図中矢印で示すように、上下方向に移動すれば、背高ゴミ除け体２を高さ方向に昇降自在にできる。
【図面の簡単な説明】
【００７３】
【図１】本発明に係る軒樋用ドレンＡの参考例を示す分解斜視図である。
【図２】図１の軒樋用ドレンＡを軒樋Ｔに装着した状態を示す縦断面図である。
【図３】本発明に係る軒樋用ドレンＡの他の実施例を示す分解斜視図である。
【図４】図３の軒樋用ドレンＡを軒樋Ｔに装着した状態を示す縦断面図である。
【図５】本発明に係る軒樋用ドレンＡの更に他の参考例を示す分解斜視図である。
【図６】背高ゴミ除け体２の一実施例を示す概略図（螺合式）である。
【図７】背高ゴミ除け体２の他の実施例を示す概略図（スライド式）である。
【図８】背高ゴミ除け体２の他の実施例を示す概略図（鋏式）である。
【図９】背高ゴミ除け体２の他の参考例を示す概略図（スプリング式）である。
【図１０】背高ゴミ除け体２の他の参考例を示す概略図（ヒンジ付ジャバラ式）である。
【符号の説明】
【００７４】
Ａ      軒樋用ドレン
Ｔ      軒樋
Ｔ１    排水口
１      ドレン受部
２      背高ゴミ除け体
３      ゴミ除け体
２１    排水窓
５、７  上籠部
６、８  下籠部
５０    支柱
６０    リング体
【図１】
0004747149.tif 000002
【図２】
0004747149.tif 000003
【図３】
0004747149.tif 000004
【図４】
0004747149.tif 000005
【図５】
0004747149.tif 000006
【図６】
0004747149.tif 000007
【図７】
0004747149.tif 000008
【図８】
0004747149.tif 000009
【図９】
0004747149.tif 000010
【図１０】
0004747149.tif 000011